(57)【特許請求の範囲】
【請求項１】
複数の移動端末がデバイスと管理サーバとのデータ通信を中継するデータ収集方法において、
第１の移動端末が、
前記管理サーバから送信された加工要求を第２の移動端末に転送し、
前記第２の移動端末が、
前記第１の移動端末から受信した加工要求に基づいて前記デバイスからデータを収集し、収集したデータを用いて生成した加工データに識別子を割当て、
前記加工データと前記識別子とを第３の移動端末宛に送信し、前記加工データに使用されたデータと前記識別子との対応関係を前記デバイス宛に送信し、
前記第３の移動端末が、
前記第２の移動端末から受信した前記加工データと前記識別子とを前記管理サーバに転送し、
第４の移動端末が、
前記第３の移動端末が前記管理サーバに送信した削除対象の前記識別子を前記管理サーバから受信し、受信した削除対象の前記識別子を第５の移動端末に転送し、
前記第５の移動端末が、
前記第４の移動端末から受信した削除対象の前記識別子を前記デバイス宛に送信し、
前記デバイスが、
前記データと前記識別子とを対応付けて保持し、
前記第５の移動端末から受信した削除対象の前記識別子に対応付けられたデータを特定する
処理を実行することを特徴とするデータ収集方法。
【請求項２】
前記第２の移動端末は、前記生成した加工データが緊急性を有するデータであるか否かを判定する処理をさらに実行し、
前記第２の移動端末の送信する処理は、前記加工データが緊急性を有しないデータであると判定された場合、近距離型の無線通信を用いて、前記加工データを前記管理サーバ又は前記第３の移動端末宛に送信し、前記加工データが緊急性を有するデータであると判定された場合、携帯電話の通信回線を用いて、前記加工データを前記管理サーバに送信することを特徴とする請求項１に記載のデータ収集方法。
【請求項３】
前記デバイスの特定する処理は、前記第５の移動端末から受信した識別子に対応付けられたデータに対して、さらに他の識別子が対応付けられている場合には、前記データに対応付けられる全識別子を受信してから、前記データを削除することを特徴とする請求項１に記載のデータ収集方法。
【請求項４】
管理サーバから送信された加工要求を受信した場合に、他の移動端末に当該加工要求を転送する第１転送制御部と、
管理サーバから送信され、他の移動端末から転送された加工要求を受信した場合に、当該加工要求に基づいてデバイスからデータを収集する収集部と、
前記収集部によって収集されたデータを用いて加工データを生成する生成部と、
前記生成部によって生成された加工データに識別子を付与する付与部と、
前記加工データと前記識別子とを対応付けて他の移動端末宛に送信し、前記加工データに使用されたデータと前記識別子との対応関係を前記デバイス宛に送信する第１送信制御部と、
他の移動端末から送信された加工データと識別子とを受信した場合に、当該加工データと当該識別子とを対応付けて前記管理サーバに転送する第２転送制御部と、
前記管理サーバから削除対象の前記識別子を受信した場合に、当該削除対象の識別子を他の移動端末に転送する第３転送制御部と、
他の移動端末から転送された削除対象の識別子を受信した場合に、当該削除対象の識別子を前記デバイス宛に送信する第２送信制御部と、
を有することを特徴とする移動端末。
【請求項５】
データを記憶する記憶部と、
移動端末から要求されたデータを、前記記憶部から読み出して前記移動端末に送信するデータ送信部と、
前記データ送信部によって送信されたデータに対して割当てられた識別子を前記移動端末から受信する第１識別子受信部と、
第１の移動端末及び第２の移動端末により読み出されたデータと、前記第１の移動端末により当該データに対して割り当てられた第１の識別子と、前記第２の移動端末により当該データに対して割り当てられた第２の識別子とを対応付けた対応表を保持する対応表保持部と、
前記第１の移動端末とは異なる移動端末から、前記第１の識別子を受信する第２識別子受信部と、
前記対応表保持部が保持する対応表を参照して、受信した前記第１の識別子に対応付けられた前記データを削除対象のデータとして特定する特定部と、
特定された前記削除対象のデータに対応付けられた前記第２の識別子が、前記第２の移動端末とは異なる移動端末から受信された場合に、当該削除対象のデータを削除する削除部と
を有することを特徴とするデータ保存装置。
【発明の詳細な説明】
【技術分野】
【０００１】
本発明は、データ収集方法、移動端末およびデータ保存装置に関する。
【背景技術】
【０００２】
近年、ネットワークに繋がれた機械同士が人間を介在せずに相互に情報交換し、自動的に最適な制御を実行するＭ２Ｍサービスが普及している。また、Ｍ２Ｍサービスを提供するクラウドシステムの普及も進んでいる。例えば、無線通信端末がアドホックネットワークを形成し、クラウドサーバが各無線通信端末からセンサ値などの情報を収集するシステムなどがある。
【０００３】
また、導入コストを抑えるために、電話回線や３Ｇ回線（third  generation  network）を用いることも行われている。例えば、クラウドサーバが、顧客に代わって、遠隔の装置から稼動状況や消耗品の状況を３Ｇ回線で収集する。そして、顧客の監視員が、携帯電話を用いてクラウドサーバにアクセスし、各装置の状況を把握する。
【先行技術文献】
【特許文献】
【０００４】
【特許文献１】特表２００２−５１２８２９号公報
【特許文献２】特開２００５−１６９０９０号公報
【発明の概要】
【発明が解決しようとする課題】
【０００５】
しかしながら、３Ｇ回線では通信コストが高くなり、また、大規模システムの場合にはクラウドサーバの負荷が高くなる。このため、３Ｇ回線の代わりにＷｉ−ｆｉ（Wireless  Fidelity）を用いることで通信コストを抑え、スマートフォンなどの端末にデータの加工処理等を実行させることでクラウドサーバの負荷を軽減させることも考えられる。ところが、これらの場合、ネットワークのトラフィック量が多いという問題がある。
【０００６】
例えば、Ｗｉ−Ｆｉで通信を行うスマートフォンを例にして説明すると、クラウドサーバの近くにいるスマートフォンは、クラウドサーバからデータの加工要求を受信する。この加工要求を受信したスマートフォンは、デバイスから加工に用いるデータを収集して加工データを生成し、加工データをクラウドサーバに送信する。クラウドサーバは、加工データを受信すると、近くにいるスマートフォンに削除指示を送信する。この削除要求を受信したスマートフォンは、加工に使用されたデータをデバイスから削除する。
【０００７】
このように、Ｗｉ−Ｆｉやスマートフォンを用いたシステムでは、データを収集する端末とデータを削除する端末とが異なる場合があるので、加工データと加工データに使用されたデータとの対応付けを、各装置が管理することになる。このため、各装置は、加工データや削除要求に、加工に用いたデータを含めて送受信することになる。したがって、パケット容量が大きくなり、ネットワークのトラフィックも高くなる。さらには、パケットの送信エラーやパケットロス等を招き、システムの信頼性も低下する。
【０００８】
開示の技術は、上記に鑑みてなされたものであって、トラフィック量を抑制することができるデータ収集方法、移動端末およびデータ保存装置を提供することを目的とする。
【課題を解決するための手段】
【０００９】
本願の開示するデータ収集方法、移動端末およびデータ保存装置は、一つの態様において、複数の移動端末がデバイスと管理サーバとのデータ通信を中継する。第１の移動端末が、前記管理サーバから送信された加工要求に基づいて前記デバイスからデータを収集し、収集したデータを用いて生成した加工データに識別子を割当てる処理を実行する。第１の移動端末が、前記加工データと識別子とを前記管理サーバ宛に送信し、前記加工データに使用されたデータと前記識別子との対応関係を前記デバイス宛に送信する処理を実行する。第２の移動端末が、前記管理サーバが送信した削除対象の前記識別子を前記デバイス宛に送信する処理を実行する。前記デバイスが、前記データと前記識別子とを対応付けて保持し、前記第２の移動端末から受信した識別子に対応付けられたデータを特定する処理を実行する。
【発明の効果】
【００１０】
本願の開示するデータ収集方法、移動端末およびデータ保存装置の一つの態様によれば、トラフィック量を抑制することができるという効果を奏する。
【図面の簡単な説明】
【００１１】
【図１】図１は、実施例１に係るシステムの全体構成例を示す図である。
【図２】図２は、実施例１に係る移動端末の構成を示す機能ブロック図である。
【図３】図３は、作業バッファに記憶される情報の例を示す図である。
【図４】図４は、対応リストに記憶される情報の例を示す図である。
【図５】図５は、実施例１に係るデータ保存サーバの構成を示す機能ブロック図である。
【図６】図６は、実施例１に係るシステムが実行するデータ加工処理のシーケンス図である。
【図７】図７は、実施例１に係るシステムが実行するデータ削除処理のシーケンス図である。
【図８】図８は、収集端末が実行する処理の流れを示すフローチャートである。
【図９】図９は、削除端末が実行する処理の流れを示すフローチャートである。
【図１０】図１０は、データ保存サーバが実行する処理の流れを示すフローチャートである。
【図１１】図１１は、管理サーバが実行する処理の流れを示すフローチャートである。
【図１２】図１２は、移動端末が要求を中継する場合の流れを説明する図である。
【図１３】図１３は、他の移動端末を介して生データを収集する例を説明する図である。
【図１４】図１４は、ハードウェア構成例を示す図である。
【発明を実施するための形態】
【００１２】
以下に、本願の開示するデータ収集方法、移動端末およびデータ保存装置の実施例を図面に基づいて詳細に説明する。なお、この実施例によりこの発明が限定されるものではない。
【実施例１】
【００１３】
［全体構成］
図１は、実施例１に係るシステムの全体構成例を示す図である。図１に示すように、このシステムは、移動端末Ａ、移動端末Ｂ、データ保存サーバ３０、管理サーバ４０を有する。また、管理サーバ４０とデータ保存サーバ３０とは直接データ通信が実行できない状況である。なお、ここで示した各装置の数等はあくまで例示であり、これに限定されるものではない。
【００１４】
移動端末Ａと移動端末Ｂは、ユーザが保持するスマートフォン、携帯電話などの無線通信機器である。各移動端末は、例えばＷｉ−Ｆｉなどの近距離無線通信を実行して、データ保存サーバ３０や管理サーバ４０と無線で通信することができる。
【００１５】
データ保存サーバ３０は、データを保存するサーバ装置である。例えば、データ保存サーバ３０は、バックアップ結果、システムログ、エラーログなど装置が生成するデータを保存する。データ保存サーバ３０は、例えば、Ｗｉ−Ｆｉなどの近距離無線通信を実行して、各移動端末や管理サーバ４０と無線で通信することができる。
【００１６】
管理サーバ４０は、データ保存サーバ３０が保持するデータを収集して管理するサーバ装置である。管理サーバ４０は、移動端末Ａや移動端末Ｂから見ると、クラウドサーバに該当する。この管理サーバ４０は、例えば、Ｗｉ−Ｆｉなどの近距離無線通信を実行して、各移動端末やデータ保存サーバ３０と無線で通信することができる。
【００１７】
このような状態において、移動端末Ａは、ユーザの移動に伴って、管理サーバ４０とＷｉ−Ｆｉで通信可能な位置まで近づく。すると、管理サーバ４０は、Ｗｉ−Ｆｉを用いて、移動端末Ａの存在を検知し、移動端末Ａに対してデータの加工要求を送信する。この加工要求を受信した移動端末Ａは、ユーザの移動に伴って、データ保存サーバ３０とＷｉ−Ｆｉで通信可能な位置まで近づく。
【００１８】
すると、移動端末Ａは、Ｗｉ−Ｆｉを用いて、データ加工に用いる生データの取得要求を各データ保存サーバ３０に送信する。その後、移動端末Ａは、各データ保存サーバ３０から取得したデータを用いて加工データを生成し、生成した加工データにユニークＩＤを付与する。なお、ここでは、加工データを生成してからユニークＩＤを付与する例を説明したが、加工データを生成する前に、生成対象の加工データを特定してユニークＩＤを付与してもよい。
【００１９】
そして、移動端末Ａは、加工に用いた生データとユニークＩＤの対応関係を各データ保存サーバ３０に送信し、各データ保存サーバ３０は、移動端末Ａに送信した生データとユニークＩＤとの対応関係を保持する。
【００２０】
その後、加工データを保持した移動端末Ａは、ユーザの移動に伴って、管理サーバ４０とＷｉ−Ｆｉで通信可能な位置まで近づく。すると、移動端末Ａは、Ｗｉ−Ｆｉを用いて、加工データを管理サーバ４０に送信する。このようにして、管理サーバ４０は、移動端末Ａの動きを利用して、データ保存サーバ３０が保持するデータから生成された加工データを収集することができる。
【００２１】
さらに、管理サーバ４０は、Ｗｉ−Ｆｉを用いて移動端末Ｂの存在を検知すると、移動端末Ｂに対して、ユニークＩＤを含めたＡＣＫを送信する。このＡＣＫは、データの加工要求に対する応答である。すると、このＡＣＫを受信した移動端末Ｂは、ユーザの移動に伴って、データ保存サーバ３０とＷｉ−Ｆｉで通信可能な位置まで近づく。
【００２２】
すると、移動端末Ｂは、Ｗｉ−Ｆｉを用いて、ＡＣＫを各データ保存サーバ３０に送信する。そして、各データ保存サーバ３０は、受信したＡＣＫに含まれるユニークＩＤに対応付けられた生データを特定する。その後、例えば、各データ保存サーバ３０は、特定した生データを削除する。このようにして、管理サーバ４０は、移動端末Ｂの動きを利用して、加工データに用いられた生データを削除することができる。
【００２３】
上述したように、複数の移動端末の近距離通信を利用してデータ保存サーバ３０と管理サーバ４０とが通信する場合に、データ保存サーバ３０から管理サーバ宛のデータにユニークＩＤを付加する。そして、管理サーバからデータ保存サーバ３０宛のＡＣＫにも同ユニークＩＤを付加して送信する。したがって、データを収集する端末とデータを削除する端末とが異なる場合であっても、システム間で共通のユニークＩＤを伝達することができ、トラフィック量を抑制することができる。
【００２４】
［移動端末の構成］
次に、図１に示した移動端末Ａと移動端末Ｂの構成を説明する。なお、移動端末Ａと移動端末Ｂは同様の構成を有するので、ここでは、移動端末１０として説明する。図２は、実施例１に係る移動端末の構成を示す機能ブロック図である。
【００２５】
図２に示すように、移動端末１０は、作業バッファ１１、対応リスト１２、無線通信部１３、要求受信部１４、リスト生成部１５、ＩＤ付与部１６、ＩＤ通知部１７、加工データ生成部１８、加工データ送信部１９を有する。なお、各処理部は、ＣＰＵ（Central  Processing  Unit）などのプロセッサが実行する処理部である。作業バッファ１１は、メモリやハードディスクなどの記憶装置であり、対応リスト１２は、メモリやハードディスクなどの記憶装置に保持される。
【００２６】
作業バッファ１１は、加工データ生成部１８が加工データの生成に用いる情報等を記憶する記憶部である。図３は、作業バッファに記憶される情報の例を示す図である。図３に示すように、作業バッファ１１は、「加工データ名、構成要素、受信状況」を対応付けて記憶する。ここで記憶される情報は、リスト生成部１５や加工データ生成部１８によって生成および更新される。
【００２７】
「加工データ名」は、管理サーバ４０が要求した加工データを識別する識別子であり、例えば加工データの名称やＩＤ等が設定される。「構成要素」は、加工データの生成に用いる生データを識別する識別子であり、例えば生データの名称やＩＤ等が設定される。「受信状況」は、データ保存サーバ３０から受信したか否かを示す情報である。図３の場合、加工データ１は、生データ１、生データ２、生データ３、生データ４から生成できる。そして、生データ１と生データ３は受信済みであり、生データ２と生データ４は未受信であることを示す。
【００２８】
対応リスト１２は、加工データに割り振られたユニークＩＤと、当該加工データを構成する生データとの対応関係を示す情報である。この対応リスト１２は、リスト生成部１５等によって生成される。図４は、対応リストに記憶される情報の例を示す図である。図４に示すように、対応リスト１２は、「加工データ名、ユニークＩＤ、構成要素」から構成される。
【００２９】
「加工データ名」は、管理サーバ４０が要求した加工データを識別する識別子であり、例えば加工データの名称やＩＤ等が設定される。「ユニークＩＤ」は、加工データを識別する識別子である。「構成要素」は、加工データの生成に用いる生データを識別する識別子であり、例えば生データの名称やＩＤ等が設定される。図４の場合、生データ１と生データ２と生データ３と生データ４とから生成された加工データ１にユニークＩＤ「００１」が割り振られていることを示す。つまり、生データ１、生データ２、生データ３、生データ４をユニークＩＤ「００１」で識別することもできる。
【００３０】
無線通信部１３は、Ｗｉ−Ｆｉなどの近距離無線通信を実行する処理部である。例えば、無線通信部１３は、近距離無線通信機能を動作させておき、通信可能な位置に存在する他の装置を検知する。そして、無線通信部１３は、無線通信可能な装置を検知したことや、検知した装置の情報等を各処理部に通知する。
【００３１】
要求受信部１４は、無線通信部１３によって検知された管理サーバ４０から各種要求を受信する処理部である。例えば、要求受信部１４は、管理サーバ４０から加工要求を受信して、リスト生成部１５に出力する。また、要求受信部１４は、管理サーバ４０から削除要求を示すＡＣＫを受信して、ＩＤ通知部１７に出力する。
【００３２】
リスト生成部１５は、加工要求に基づいて加工データと生データとの対応関係を生成する処理部である。例えば、リスト生成部１５は、要求受信部１４によって受信された加工要求から、加工データの識別子や加工データに用いる生データの識別子等を抽出する。そして、リスト生成部１５は、抽出した加工データの識別子と生データの識別子とを対応付けた対応関係を生成する。
【００３３】
ＩＤ付与部１６は、リスト生成部１５が生成した対応関係にユニークＩＤを付与する処理部である。例えば、ＩＤ付与部１６は、リスト生成部１５によって加工データと生データとの関係性が生成されると、この関係性にユニークＩＤを発行する。すなわち、ＩＤ付与部１６は、加工データにユニークＩＤを発行する。そして、ＩＤ付与部１６は、加工データの識別子と生データの識別子とユニークＩＤとを対応付けた対応リスト１２を生成する。また、ＩＤ付与部１６は、対応リスト１２を生成したことをＩＤ通知部１７に通知する。
【００３４】
ＩＤ通知部１７は、ユニークＩＤをデータ保存サーバ３０に送信する処理部である。具体的には、ＩＤ通知部１７は、無線通信部１３によって検知されたデータ保存サーバ３０に対して、Ｗｉ−Ｆｉ等の近距離無線通信で、加工データの生成も用いられることを示すユニークＩＤや削除対象のユニークＩＤを送信する。
【００３５】
例えば、ＩＤ通知部１７は、対応リスト１２が生成されると、対応リスト１２から生データとユニークＩＤとの対応関係を抽出し、抽出した対応関係をデータ保存サーバ３０に送信する。また、ＩＤ通知部１７は、要求受信部１４からユニークＩＤが通知された場合、すなわち、管理サーバ４０が送信したＡＣＫに含まれるユニークＩＤを受信した場合、当該ユニークＩＤを各データ保存サーバ３０に、Ｗｉ−Ｆｉ等の近距離無線通信で送信する。
【００３６】
加工データ生成部１８は、要求受信部１４が受信した加工要求に基づいて加工データを生成する処理部である。例えば、加工データ生成部１８は、対応リスト１２を参照し、加工データに用いる生データの受信状況等を管理する情報を作業バッファ１１に生成する。すなわち、加工データ生成部１８は、加工データ名、構成要素、受信状況から構成されるテーブルを作業バッファ１１に生成する。
【００３７】
そして、加工データ生成部１８は、無線通信部１３で接続されるデータ保存サーバ３０から生データを近距離無線通信で受信するたびに、受信状況を更新する。そして、加工データ生成部１８は、加工データに用いる全生データを受信すると、加工データを生成する。なお、加工要求には、加工データの情報や生データの情報が含まれているものとする。また、加工データ生成部１８は、生成した加工データそのものも作業バッファ１１に格納する。
【００３８】
加工データ送信部１９は、加工データ生成部１８によって生成された加工データを管理サーバ４０に近距離無線通信で送信する処理部である。具体的には、加工データ送信部１９は、無線通信部１３によって管理サーバ４０が検知されたタイミングで、作業バッファ１１に加工データが保存されている場合には、Ｗｉ−Ｆｉ等で加工データを管理サーバ４０に送信する。例えば、加工データ送信部１９は、作業バッファ１１から加工データとユニークＩＤとの対応付けを抽出して、管理サーバ４０に送信する。
【００３９】
［データ保存サーバの構成］
次に、図１に示したデータ保存サーバ３０の構成を説明する。図５は、実施例１に係るデータ保存サーバの構成を示す機能ブロック図である。
【００４０】
図５に示すように、データ保存サーバ３０は、対応リスト３１、ストレージ３２、無線通信部３３、リスト受信部３４、データ送信部３５、ＡＣＫ受信部３６、削除部３７を有する。なお、各処理部は、ＣＰＵなどのプロセッサが実行する処理部である。ストレージ３２は、メモリやハードディスクなどの記憶装置であり、対応リスト３１は、メモリやハードディスクなどの記憶装置に保持される。
【００４１】
対応リスト３１は、移動端末から受信した対応リストである。ここで記憶される対応リストは、図４に示した対応リストのうち、例えば「ユニークＩＤ、構成要素」から構成される。また、対応リスト３１は、リスト受信部３４によって格納される。
【００４２】
ストレージ３２は、生データを記憶する記憶装置である。なお、各データ保存サーバ３０が記憶するデータは、必ずしも同じなくてもよい。ストレージ３２が記憶するデータは、削除部３７によって削除される。また、図示しないデータ生成部等の制御部がデータを生成してストレージ３２に格納する。
【００４３】
無線通信部３３は、Ｗｉ−Ｆｉなどの近距離無線通信を実行する処理部である。例えば、無線通信部３３は、近距離無線通信機能を動作させておき、通信可能な位置に存在する移動端末１０を検知する。そして、無線通信部３３は、無線通信可能な移動端末１０を検知したことや、検知した移動端末１０の情報等を各処理部に通知する。
【００４４】
リスト受信部３４は、無線通信部３３によって検知された移動端末１０から、生データとユニークＩＤとの対応関係を受信する処理部である。例えば、リスト受信部３４は、生データとユニークＩＤとの対応関係を受信すると、この対応関係を対応リスト３１として、自サーバ内に保持する。また、リスト受信部３４は、対応リスト３１を生成したことをデータ送信部３５に出力する。
【００４５】
データ送信部３５は、移動端末１０に生データを送信する処理部である。具体的には、データ送信部３５は、リスト受信部３４によって対応リスト３１が生成されると、当該対応リスト３１を参照して、加工データに用いられる生データを特定する。そして、データ送信部３５は、特定した生データをストレージ３２から読み出して、無線通信部３３を介した近距離無線通信で、要求元の移動端末１０に送信する。例えば、データ送信部３５は、対応リスト３１を参照し、識別子が生データ１である生データを特定した場合、生データ１に対応する生データをストレージ３２から読み出して移動端末１０に送信する。
【００４６】
ＡＣＫ受信部３６は、無線通信部３３によって検知された移動端末１０からＡＣＫを受信する処理部である。具体的には、ＡＣＫ受信部３６は、移動端末１０からＡＣＫを受信すると、当該ＡＣＫからユニークＩＤを抽出して削除部３７に出力する。例えば、ＡＣＫ受信部３６は、管理サーバ４０が送信したＡＣＫを移動端末１０から受信し、当該ＡＣＫからユニークＩＤ「００１」を抽出して削除部３７に出力する。
【００４７】
削除部３７は、ストレージ３２から生データを削除する処理部である。例えば、削除部３７は、ＡＣＫ受信部３６からユニークＩＤ「００１」を受信すると、対応リスト３１を参照し、ユニークＩＤ「００１」に対応付けられる生データ１や生データ２を特定する。そして、削除部３７は、特定した生データ１や生データ２に対応する生データをストレージ３２から削除する。
【００４８】
なお、管理サーバ４０については、一般的な管理サーバと同様の構成を有するので、詳細な説明は省略する。例えば、管理サーバ４０は、無線通信部３３と同様の処理部、加工要求を送信する処理部、ＡＣＫを送信する処理部等を有する。また、管理サーバ４０は、生成対象の加工データと、当該加工データの生成方法、当該加工データに用いる生データ等を加工要求に含めて、移動端末１０に送信する。また、管理サーバ４０は、削除対象のユニークＩＤを含めたＡＣＫを移動端末１０に送信する。
【００４９】
［データ加工処理］
次に、図１に示したシステムで実行されるデータ加工処理のシーケンスを説明する。図６は、実施例１に係るシステムが実行するデータ加工処理のシーケンス図である。
【００５０】
図６に示すように、移動端末１０と管理サーバ４０とが遭遇すると（Ｓ１０１とＳ１０２）、管理サーバ４０は、移動端末１０に加工要求を送信する（Ｓ１０３とＳ１０４）。例えば、移動端末１０や管理サーバ４０の無線通信部がお互いの電波を検出し、お互いの位置を確認すると、管理サーバ４０は、移動端末１０に加工要求を送信する。
【００５１】
移動端末１０の要求受信部１４が加工要求を受信すると（Ｓ１０５）、リスト生成部１５は、加工要求にしたがって、加工データと生データとの対応関係を示すリストを生成する（Ｓ１０６）。
【００５２】
続いて、移動端末１０のＩＤ付与部１６は、リスト生成部１５によって生成されたリストに対して、ユニークＩＤを付与して対応リスト１２を生成する（Ｓ１０７）。その後、移動端末１０は、自端末を保持するユーザがデータ保存サーバ３０付近に移動するまで、待機状態となる（Ｓ１０８）。
【００５３】
その後、移動端末１０とデータ保存サーバ３０とが遭遇すると（Ｓ１０９〜Ｓ１１１）、移動端末１０のＩＤ通知部１７は、ＩＤ付与部１６によって生成された対応リスト１２から生データとユニークＩＤとの対応関係を抽出してデータ保存サーバ３０に送信する（Ｓ１１２〜Ｓ１１４）。
【００５４】
その後、各データ保存サーバ３０のリスト受信部３４は、移動端末１０から受信した生データとユニークＩＤとの対応関係を、対応リスト３１として保存する（Ｓ１１５とＳ１１６）。続いて、各データ保存サーバ３０のデータ送信部３５は、対応リスト３１を参照し、自サーバが保持する生データをストレージ３２から読み出して移動端末１０に送信する（Ｓ１１７〜Ｓ１２０）。
【００５５】
そして、移動端末１０の加工データ生成部１８は、各データ保存サーバ３０から受信した生データを用いて加工データを生成する（Ｓ１２１）。その後、移動端末１０は、自端末を保持するユーザが管理サーバ４０付近まで移動するまで、待機状態となる（Ｓ１２２）。そして、移動端末１０と管理サーバ４０とが遭遇すると（Ｓ１２３とＳ１２４）、移動端末１０の加工データ送信部１９は、生成された加工データとユニークＩＤとの組み合わせを管理サーバ４０に送信する（Ｓ１２５とＳ１２６）。
【００５６】
［データ削除処理］
次に、図１に示したシステムで実行されるデータ削除処理のシーケンスを説明する。図７は、実施例１に係るシステムが実行するデータ削除処理のシーケンス図である。
【００５７】
図７に示すように、移動端末１０と管理サーバ４０とが遭遇すると（Ｓ２０１とＳ２０２）、管理サーバ４０は、ユニークＩＤを含んだＡＣＫを移動端末１０に送信する（Ｓ２０３とＳ２０４）。移動端末１０は、ＡＣＫを受信すると（Ｓ２０５）、自端末を保持するユーザがデータ保存サーバ３０付近まで移動するまで、待機状態となる（Ｓ２０６）。
【００５８】
その後、移動端末１０とデータ保存サーバ３０とが遭遇すると（Ｓ２０７とＳ２０８とＳ２０９）、移動端末１０のＩＤ通知部１７は、ユニークＩＤを含んだＡＣＫをデータ保存サーバ３０に送信する（Ｓ２１０〜Ｓ２１２）。
【００５９】
データ保存サーバ３０のＡＣＫ受信部３６は、受信したＡＣＫからユニークＩＤを抽出し、削除部３７は、ユニークＩＤに対応付けられた生データを対応リスト３１から特定し、特定した生データをストレージ３２から削除する（Ｓ２１３とＳ２１４）。
【００６０】
［フローチャート］
次に、実施例１に係る各装置が実行する処理について説明する。ここでは、収集端末が実行する処理、削除端末が実行する処理、データ保存サーバ３０が実行する処理、管理サーバ４０が実行する処理について説明する。
【００６１】
（収集端末）
図８は、収集端末が実行する処理の流れを示すフローチャートである。図８で説明する収集端末は、図２に示した移動端末と同様の構成を有する端末である。図８に示すように、収集端末は、データ保存サーバ３０または管理サーバ４０と遭遇すると（Ｓ３０１Ｙｅｓ）、生データを受信したか否かを判定する（Ｓ３０２）。
【００６２】
そして、収集端末は、生データを受信したと判定すると（Ｓ３０２Ｙｅｓ）、受信した生データを作業バッファ１１に格納し（Ｓ３０３）、加工データが生成できる状態か否かを判定する（Ｓ３０４）。つまり、収集端末は、加工データに用いる生データが揃ったか否かを判定する。そして、収集端末は、加工データが生成できない状態、すなわち生データが揃っていない状態であると判定した場合には（Ｓ３０４Ｎｏ）、Ｓ３０１に戻って以降の処理を繰り返す。
【００６３】
また、収集端末は、加工データが生成できる状態、すなわち生データが揃っている状態であると判定した場合には（Ｓ３０４Ｙｅｓ）、作業バッファ１１から生データを読み出して加工し（Ｓ３０５）、加工データを生成する（Ｓ３０６）。
【００６４】
続いて、収集端末は、生成した加工データにユニークＩＤを付加し（Ｓ３０７）、無線通信可能として検出できた管理サーバ４０に、加工データとユニークＩＤとを近距離無線で送信する（Ｓ３０８）。
【００６５】
一方、収集端末は、生データを受信していないと判定すると（Ｓ３０２Ｎｏ）、加工データの生成要求、すなわち加工要求を受信したか否かを判定する（Ｓ３０９）。なお、収集端末は、加工データの生成要求を受信していないと判定した場合には（Ｓ３０９Ｎｏ）、Ｓ３０１に戻って以降の処理を繰り返す。
【００６６】
そして、収集端末は、加工データの生成要求を受信したと判定した場合には（Ｓ３０９Ｙｅｓ）、加工データの生成に用いる生データの情報を加工要求から抽出する（Ｓ３１０）。
【００６７】
続いて、収集端末は、生成対象の加工データにユニークＩＤを発行し（Ｓ３１１）、加工データに用いられる生データとユニークＩＤとの対応関係を生成する（Ｓ３１２）。その後、収集端末は、生成した対応関係を、データ保存サーバ３０に送信する（Ｓ３１３）。
【００６８】
（削除端末）
図９は、削除端末が実行する処理の流れを示すフローチャートである。図９で説明する削除端末は、図２に示した移動端末と同様の構成を有する端末である。図９に示すように、削除端末は、データ保存サーバ３０と遭遇すると（Ｓ４０１Ｙｅｓ）、管理サーバ４０から受信済みのＡＣＫを、データ保存サーバ３０に送信する（Ｓ４０２）。
【００６９】
一方、削除端末は、データ保存サーバ３０ではなく管理サーバと遭遇すると（Ｓ４０１Ｎｏ、Ｓ４０３Ｙｅｓ）、管理サーバ４０からＡＣＫを受信し（Ｓ４０４）、自端末を保持する人の動線にしたがって、データ保存サーバ３０までＡＣＫを運搬する（Ｓ４０５）。その後、Ｓ４０１に戻って以降の処理が繰り返される。なお、削除端末は、データ保存サーバ３０にも管理サーバにも遭遇しない場合（Ｓ４０１Ｎｏ、Ｓ４０３Ｎｏ）、Ｓ４０１に戻って以降の処理を繰り返す。
【００７０】
（データ保存サーバ３０）
図１０は、データ保存サーバが実行する処理の流れを示すフローチャートである。図１０に示すように、データ保存サーバ３０は、生データとユニークＩＤとの対応関係を収集端末から受信すると（Ｓ５０１Ｙｅｓ）、受信した対応関係から対応リスト３１を生成して自サーバに登録する（Ｓ５０２）。
【００７１】
そして、データ保存サーバ３０は、保持する対応リスト３１を参照し、自サーバのストレージ３２に格納される生データを特定し、特定した生データをストレージ３２から読み出して収集端末に送信する（Ｓ５０３）。
【００７２】
一方、データ保存サーバ３０は、生データとユニークＩＤとの対応関係ではなくＡＣＫを収集端末から受信すると（Ｓ５０１Ｎｏ、Ｓ５０４Ｙｅｓ）、受信したＡＣＫからユニークＩＤを抽出する（Ｓ５０５）。
【００７３】
そして、データ保存サーバ３０は、自サーバが保持する対応リスト３１を参照して、抽出したユニークＩＤに対応する生データを特定し、特定した生データをストレージ３２から削除する（Ｓ５０６とＳ５０７）。なお、データ保存サーバ３０は、生データとユニークＩＤとの対応関係もＡＣＫも収集端末から受信しない場合（Ｓ５０１Ｎｏ、Ｓ５０４Ｎｏ）、Ｓ５０１に戻って以降の処理を繰り返す。
【００７４】
（管理サーバ４０）
図１１は、管理サーバが実行する処理の流れを示すフローチャートである。図１１に示すように、管理サーバ４０は、近距離無線通信を用いて、加工データを収集端末から受信すると（Ｓ６０１Ｙｅｓ）、加工データに付加されるユニークＩＤを抽出する（Ｓ６０２）。その後、管理サーバ４０は、ユニークＩＤを挿入したＡＣＫを生成し（Ｓ６０３）、近距離無線通信を用いて、無線通信可能として検出できた削除端末にＡＣＫを送信する（Ｓ６０４）。
【００７５】
［効果］
このように、実施例１によれば、管理サーバ４０は、移動端末１０を保持するユーザの動線を利用し、Ｗｉ−Ｆｉ等の近距離無線通信を用いてデータを収集することができる。また、Ｗｉ−Ｆｉ等の近距離無線通信を用いてデータ収集を実行するので、通信コストを削減することもできる。また、ユーザが保持する移動端末を用いるので、システムの導入コストも削減することができる。
【実施例２】
【００７６】
ところで、実施例１では、移動端末が管理サーバ４０から加工要求を受信し、データ保存サーバ３０まで移動して加工データを生成する例を説明したが、これに限定されるものではない。
【００７７】
例えば、Ｗｉ−Ｆｉやアドホック通信を利用して、管理サーバ４０から送信された加工要求をデータ保存サーバ３０の近くにいる移動端末まで伝搬させることもできる。そこで、実施例２では、移動端末が加工要求や削除要求等を中継する例について説明する。
【００７８】
図１２は、移動端末が要求を中継する場合の流れを説明する図である。図１２に示す各装置は、Ｗｉ−Ｆｉやアドホック通信が可能な装置であり、定期的に電波を発信して、通信可能な装置が存在するか否かを判定するものとする。
【００７９】
図１２に示すように、管理サーバ４０は、自サーバが通信可能な範囲に移動端末Ａを検知すると、移動端末Ａに対して加工要求を送信する。このとき、移動端末Ａは、加工要求から加工データ、生データ、ユニークＩＤの対応付けリストを生成してもよい。
【００８０】
そして、移動端末Ａは、自端末を保持するユーザの移動にともなって所定の場所まで移動する。その後、移動端末Ａは、移動先で、自端末と通信可能な範囲に位置する移動端末Ｂを検知すると、移動端末Ｂに加工要求を転送する。ここで、移動端末Ａは、加工要求の代わりに、対応リストを送信してもよい。
【００８１】
その後、移動端末Ｂは、加工要求または対応リストを保持したまま、自端末を保持するユーザの移動に伴って移動する。移動端末Ｂは、移動先で、自端末と通信可能な範囲に位置するデータ保存サーバ３０を検知すると、データ保存サーバ３０に対して対応リスト等を送信して、生データを収集する。そして、移動端末Ｂは、加工データと生データとユニークＩＤとを対応付けて保持する。
【００８２】
その後は上述した手法と同様の手法で、移動端末Ｂによって生成された加工データとユニークＩＤとの対応関係が、移動端末Ｂから他の移動端末を経由して、管理サーバ４０に到達する。また、加工データを受信した管理サーバ４０はユニークＩＤを含んだＡＣＫを隣接する移動端末に送信する。このＡＣＫは、図１２と同様の手法を用いて、データ保存サーバ３０まで到達する。このように、移動端末が各種要求を中継した場合でも、システム間で共通のユニークＩＤを伝達することができ、トラフィック量を抑制することができる。
【００８３】
図１３は、他の移動端末を介して生データを収集する例を説明する図である。図１３に示す各装置は、図１２に示した装置と同様の機能を有するものとする。
【００８４】
図１３に示すように、管理サーバ４０は、自サーバが通信可能な範囲に移動端末Ａを検知すると、移動端末Ａに対して加工要求を送信する。このとき、移動端末Ａは、加工要求から加工データ、生データ、ユニークＩＤの対応付けリストを生成してもよい。
【００８５】
そして、移動端末Ａは、自端末を保持するユーザの移動にともなって所定の場所まで移動する。その後、移動端末Ａは、移動先で、自端末と通信可能な範囲に位置する移動端末Ｂを検知すると、移動端末Ｂに加工要求を転送する。ここで、移動端末Ａは、加工要求の代わりに、対応リストを送信してもよい。
【００８６】
その後、移動端末Ｂは、加工要求または対応リストを保持したまま、自端末を保持するユーザの移動に伴って移動する。移動端末Ｂは、移動先で、自端末と通信可能な範囲に位置するデータ保存サーバ３０の一部を検知すると、検知した一部のデータ保存サーバ３０に対して対応リスト等を送信して、加工データに用いる一部の生データを収集する。
【００８７】
一方で、移動端末Ｂは、移動先で、自端末と通信可能な範囲に位置する移動端末Ｃを検知すると、検知した移動端末Ｃに対して対応リスト等を送信して、生データの収集を要求する。
【００８８】
そして、移動端末Ｃは、自端末と通信可能な範囲に位置するデータ保存サーバ３０の一部を検知すると、検知した一部のデータ保存サーバ３０に対して対応リスト等を送信して、生データの一部を収集する。すると、移動端末Ｃは、収集した生データを移動端末Ｂに送信する。
【００８９】
その後、移動端末Ｂは、自端末が収集した生データと、移動端末Ｃから取得した生データとを用いて加工データを生成する。そして、移動端末Ｂは、加工データと生データとユニークＩＤとを対応付けて保持する。その後は、図１２で説明した手法を用いて、加工データとユニークＩＤとの対応関係が、管理サーバ４０まで伝播される。
【００９０】
このように、移動端末が、データ保存サーバ３０の一部としか無線通信できない場合であっても、他の移動端末を利用して生データを収集することができる。したがって、無線通信の電波状況にあわせた適切な手法で生データを収集して加工データを生成し、管理サーバ４０に加工データを伝達させることができる。
【実施例３】
【００９１】
さて、これまで本発明の実施例について説明したが、本発明は上述した実施例以外にも、種々の異なる形態にて実施されてよいものである。そこで、以下に異なる実施例を説明する。
【００９２】
（ユニークＩＤの生成タイミング）
実施例１では、加工要求を受信したタイミングで、生成対象の加工データにユニークＩＤを付与する例を説明したが、これに限定されるものではない。例えば、移動端末は、データ保存サーバ３０から生データを収集して加工データを生成した後に、ユニークＩＤを付与して、対応リストを生成することもできる。このように、ユニークＩＤの生成タイミングは、端末の処理負荷状況等にあわせて任意に変更することができる。
【００９３】
（リアルタイム性）
また、移動端末は、データ保存サーバ３０から生データを収集して加工データを生成した後、加工データの種別等に基づいてリアルタイム性を有するデータか否かを判定する。そして、移動端末は、リアルタイム性を有するデータと判定した場合には、生成した加工データをＷｉ−Ｆｉ等の近距離通信ではなく、３Ｇ回線等を用いて管理サーバ４０に送信する。一方、移動端末は、リアルタイム性を有するデータではないと判定した場合には、生成した加工データをＷｉ−Ｆｉ等の近距離通信で、管理サーバ４０に送信する。
【００９４】
このようにすることで、緊急性を有する加工データについては、管理サーバ４０に遅滞なく送信することができる。また、リアルタイム性を有するか否かの判定例としては、例えば、加工データがエラーを含む内容である場合、加工データからエラーの発生が高いと判断できる場合、加工データが生成できない場合等が考えられる。
【００９５】
（移動端末）
また、移動端末として、携帯電話やスマートフォンを例にして説明したが、これら以外にも様々な端末を利用することができる。例えば、車載器などを用いることができる。車載器を用いた場合、Ｗｉ−Ｆｉ等の代わりに、他の無線通信を用いてもよい。
【００９６】
（削除タイミング）
上記実施例では、１つの生データに１つのユニークＩＤを対応付ける例を説明したが、管理サーバ４０が加工要求を複数送信した場合など、１つの生データに複数の加工データが対応付けられる場合がある。この場合、データ保存サーバ３０は、すべてのユニークＩＤを受信した場合、すなわち各加工要求に対するＡＣＫを受信した場合に、生データを削除するようにしてもよい。また、データ保存サーバ３０は、ＡＣＫで通知されたユニークＩＤに対応する生データを削除せずに、移動端末への提供対象外として処理することもできる。
【００９７】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９８】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９９】
（ハードウェア構成）
次に、移動端末のハードウェア構成を説明する。なお、図１に示した各装置は同様の構成を有するので、ここでは、移動端末について説明し、他の装置の詳細な説明は省略する。
【０１００】
図１４は、ハードウェア構成例を示す図である。図１４に示すように、移動端末１００は、通信制御部１００ａと、ＰＨＹ（physical  layer）１００ｂと、バスインタフェース部１００ｃと、メモリ１００ｄと、ＣＰＵ１００ｅとを有する。
【０１０１】
通信制御部１００ａは、他の装置と近距離無線通信を実行する処理部であり、例えば、アンテナやネットワークインタフェースカードである。ＰＨＹ１００ｂは、物理層ハードウェア部であり、物理層におけるネットワーク接続やデータ伝送に関する動作が規定され、通信制御部１００ａを介して相手装置との無線通信を実現する。なお、ＰＨＹ１００ｂは、ソフトウェアで実装することも可能である。
【０１０２】
バスインタフェース部１００ｃは、ＣＰＵ１００ｅ、メモリ１００ｄ、ＰＨＹ１００ｂ等の間で信号をやりとりするためのバスインタフェースである。メモリ１００ｄは、ＲＯＭ（Read  Only  Memory）、ＲＡＭ（Random  Access  Memory）等を含み、本実施例のデータ収集方法における各種処理を実現するためのプログラムや、対応リスト、処理の過程で得られたデータ等を記憶する記憶装置である。ＣＰＵ１００ｅは、移動端末１００の各種処理を司る処理部であり、本実施例のデータ収集方法における各種処理等を実行する。
【０１０３】
また、ＣＰＵ１００ｅは、図２や図５に示した各処理部と同様の処理を実行するプログラムを読み出してＲＡＭに展開することで、図２や図５等で説明した各機能を実行するプロセスを動作させる。すなわち、このプロセスは、要求受信部１４、リスト生成部１５、ＩＤ付与部１６、ＩＤ通知部１７、加工データ生成部１８、加工データ送信部１９と同様の機能を実行する。また、このプロセスは、リスト受信部３４、データ送信部３５、ＡＣＫ受信部３６、削除部３７と同様の機能を実行する。このように移動端末１００は、プログラムを読み出して実行することでデータ収集方法を実行する情報処理装置として動作する。
【符号の説明】
【０１０４】
１０  移動端末
１１  作業バッファ
１２  対応リスト
１３  無線通信部
１４  要求受信部
１５  リスト生成部
１６  ＩＤ付与部
１７  ＩＤ通知部
１８  加工データ生成部
１９  加工データ送信部
３０  データ保存サーバ
３１  対応リスト
３２  ストレージ
３３  無線通信部
３４  リスト受信部
３５  データ送信部
３６  ＡＣＫ受信部
３７  削除部
４０  管理サーバ
【図１】
0005867236.tif 000002
【図２】
0005867236.tif 000003
【図３】
0005867236.tif 000004
【図４】
0005867236.tif 000005
【図５】
0005867236.tif 000006
【図６】
0005867236.tif 000007
【図７】
0005867236.tif 000008
【図８】
0005867236.tif 000009
【図９】
0005867236.tif 000010
【図１０】
0005867236.tif 000011
【図１１】
0005867236.tif 000012
【図１２】
0005867236.tif 000013
【図１３】
0005867236.tif 000014
【図１４】
0005867236.tif 000015